(57)【要約】      （修正有）【課題】接続状態を視覚的に確認することができるとともに、コンセントとプラグとの相対的な位置決めを容易に行うことができる給電装置を提供する。【解決手段】前記給電ステーションに設けられるコンセント２と、このコンセント２を収容する給電ハウジング３と、前記コンセント２に接続され得るように位置づけて前記移動家具に設けられるプラグ４と、このプラグ４を収容する受電ハウジング５とを具備してなり、前記給電ハウジング３及び受電ハウジング５にコンセント２とプラグ４との接続を助けるための案内機構を設けてなり、前記コンセント２及びプラグ４を前記移動家具の天板Ｃ５高さ位置付近に配した。【選択図】図２
2012081153.tif 000002
【特許請求の範囲】
【請求項１】
給電ステーションと、この給電ステーションに対して接離可能に移動できる天板付の移動家具との間に設けられる給電装置であって、
前記給電ステーションに設けられるコンセントと、このコンセントを収容する給電ハウジングと、前記コンセントに接続され得るように位置づけて前記移動家具に設けられるプラグと、このプラグを収容する受電ハウジングとを具備してなり、前記給電ハウジング及び受電ハウジングにコンセントとプラグとの接続を助けるための案内機構を設けてなり、
前記コンセント及びプラグを前記移動家具の天板高さ位置付近に配したことを特徴とする給電装置。
【請求項２】
前記案内機構が、前記給電ハウジングと受電ハウジングとの相対位置を位置決めするためのハウジング位置決め手段と、前記コンセントとプラグとの相対位置を位置決めするための接続要素位置決め手段とを備えている請求項１記載の給電装置。
【請求項３】
前記ハウジング位置決め手段が、前記給電ハウジング及び受電ハウジングのいずれか一方に設けられた凹型テーパ面と、この凹型テーパ面に係わり合うように他方に設けられた凸型テーパ面とを備えている請求項２記載の給電装置。
【請求項４】
前記接続要素位置決め手段が、前記コンセントを給電ハウジングに首振動作可能に保持させる保持部と、この保持部に保持されたコンセントの先端部を案内すべく前記受電ハウジングに設けられたコンセント案内面とを備えている請求項２または３記載の給電装置。
【請求項５】
前記保持部が、前記コンセントの先端部の向きを上下方向に調節する第１の弾性部材と、前記コンセントの先端部の向きを左右方向に調節する第２の弾性部材とを備えたものである請求項４記載の給電装置。
【請求項６】
前記給電ハウジング及び受電ハウジングのいずれか一方に設けられ、前記プラグとコンセントとが電気的に接続された旨を視覚的に表示する接続表示部を備えている請求項１、２、３、４または５記載の給電装置。
【発明の詳細な説明】
【技術分野】
【０００１】
本発明は、ナーシングカート等の移動家具に給電を行うための給電装置に関する。
【背景技術】
【０００２】
従来、この種の給電装置として、給電ステーションと、この給電ステーションに対して接離可能に移動できる天板付の移動家具との間に設けられるものであって、前記給電ステーションに設けられるコンセントと、このコンセントに接続され得るように位置づけて前記移動家具に設けられるプラグとを具備してなるものが知られている（例えば、特許文献１を参照）。
【０００３】
ところが、このようなものにあっては、前記コンセントが、床面の近傍に配置されているので、その接続状態を視覚的に確認することが難しいという問題がある。
【０００４】
また、従来のものは、コンセントとプラグとを相対的に位置決めするための機能が不十分であったため、前記コンセントとプラグとを接続させるために何度も移動家具を進退させ、試行錯誤を繰り返す必要がある。
【先行技術文献】
【特許文献】
【０００５】
【特許文献１】特開２００６？５５２９５号公報
【発明の概要】
【発明が解決しようとする課題】
【０００６】
本発明は、以上のような課題を一挙に解消することができる給電装置を提供することを目的とする。
【課題を解決するための手段】
【０００７】
本発明は、以上のような課題を解決するために、次のような構成を採用したものである。すなわち、本発明に係る給電装置は、給電ステーションと、この給電ステーションに対して接離可能に移動できる天板付の移動家具との間に設けられる給電装置であって、前記給電ステーションに設けられるコンセントと、このコンセントを収容する給電ハウジングと、前記コンセントに接続され得るように位置づけて前記移動家具に設けられるプラグと、このプラグを収容する受電ハウジングとを具備してなり、前記給電ハウジング及び受電ハウジングにコンセントとプラグとの接続を助けるための案内機構を設けてなり、前記コンセント及びプラグを前記移動家具の天板高さ位置付近に配したことを特徴とする。
【０００８】
このようなものであれば、コンセントとプラグが移動家具の天板高さ位置付近に配されているため、その接続状態を視覚的に確認できる。そのうえ、案内機構により、コンセントとプラグとの相対的な位置関係を調節することができるため、コンセントとプラグとを接続させるのを容易に行うことが可能となる。
【０００９】
前記案内機構の好適な一実施形態としては、前記給電ハウジングと受電ハウジングとの相対位置を位置決めするためのハウジング位置決め手段と、前記コンセントとプラグとの相対位置を位置決めするための接続要素位置決め手段とを備えているものを挙げることができる。
【００１０】
前記ハウジング位置決め手段の具体的な一態様としては、前記給電ハウジング及び受電ハウジングのいずれか一方に設けられた凹型テーパ面と、この凹型テーパ面に係わり合うように他方に設けられた凸型テーパ面とを備えているものが好ましい。
【００１１】
前記接続要素位置決め手段の具体的な一態様としては、前記コンセントを給電ハウジングに首振動作可能に保持させる保持部と、この保持部に保持されたコンセントの先端部を案内すべく前記受電ハウジングに設けられたコンセント案内面とを備えているものが好ましい。
【００１２】
前記保持部の具体的な一態様としては、前記コンセントの先端部の向きを上下方向に調節する第１の弾性部材と、前記コンセントの先端部の向きを左右方向に調節する第２の弾性部材とを備えたものが考えられる。
【００１３】
プラグとコンセントとの電気的な接続状態を視覚的に認識し得るようにするためには、前記給電ハウジング及び受電ハウジングのいずれか一方に設けられ、前記プラグとコンセントとが電気的に接続された旨を視覚的に表示する接続表示部を備えているものが好ましい。
【発明の効果】
【００１４】
本発明によれば、接続状態を視覚的に確認することができるとともに、コンセントとプラグとの相対的な位置決めを容易に行うことができる給電装置を提供することができる。
【図面の簡単な説明】
【００１５】
【図１】本発明の一実施形態を示す家具システムの全体斜視図。
【図２】同実施形態の給電装置の非接続状態を一部を断面で示す側面図。
【図３】同実施形態の給電装置の接続状態を一部を断面で示す側面図。
【図４】同実施形態の給電装置を示す概略図。
【図５】同実施形態の給電装置の接続状態を示す斜視図。
【図６】同実施形態の給電装置を示す平面図。
【図７】同実施形態の給電装置を示す側面図。
【図８】同実施形態の給電ハウジングと受電ハウジングとの係わり合いを示す説明図。
【図９】同実施形態のコンセント及び給電ハウジングを示す分解斜視図。
【図１０】同実施形態のプラグ及び受電ハウジングを示す分解斜視図。
【図１１】同実施形態の給電装置の接続方法を示す作用説明図。
【図１２】同実施形態の給電装置の接続方法を示す作用説明図。
【図１３】同実施形態の給電装置の接続方法を示す作用説明図。
【図１４】本発明の変形例を示す図８に対応する説明図。
【図１５】同変形例の図９に対応する分解斜視図。
【図１６】同変形例の給電装置の首振り動作の一例を示す説明図。
【発明を実施するための形態】
【００１６】
以下、本発明の一実施形態について図１ないし図１３を参照して説明する。
【００１７】
この実施形態は、図１ないし図３に示すように、本発明を移動家具である天板Ｃ５付のナーシングカートＣと、給電ステーションであるナースピットＰとの間に設けられる給電装置１に適用した場合のものである。このナーシングカートＣは、他の天板Ｐ８付き家具たるナースピットＰと組み合わされて家具システムＳを構成する。
【００１８】
給電装置１は、図２ないし図８及び図１１ないし図１３に示すように、前記ナースピットＰと、このナースピットＰに対して接離可能に移動できる天板Ｃ５付のナーシングカートＣとの間に設けられるものであって、前記ナースピットＰに設けられるコンセント２と、このコンセント２を収容する給電ハウジング３と、前記コンセント２に接続され得るように位置づけて前記ナーシングカートＣに設けられるプラグ４と、このプラグ４を収容する受電ハウジング５とを具備してなる。そして、この給電装置１は、前記給電ハウジング３及び受電ハウジング５にコンセント２とプラグ４との接続を助けるための案内機構６を設けてなる。また、前記コンセント２及びプラグ４は、前記ナーシングカートＣの天板Ｃ５高さ位置付近に配してなる。
【００１９】
ナーシングカートＣは、図１ないし図３に示すように、下面にキャスタＣ１１を取り付けてなるベースＣ１と、このベースＣ１の左側後部から起立させてなる天板支持用支柱Ｃ２と、前記ベースＣ１の右側後部から起立させてなる後支柱Ｃ３と、前記ベースＣ１の前部から左右一対に起立させてなる前支柱Ｃ４と、前記天板支持用支柱Ｃ２に昇降可能に支持させてなる天板Ｃ５と、前記前支柱Ｃ４、後支柱Ｃ３及び天板支持用支柱Ｃ２に接続され略環状をなすハンドルＣ６と、前記天板Ｃ５の下方において前記天板支持用支柱Ｃ２、後支柱Ｃ３及び前支柱Ｃ４に支持させて左右に対をなして設けたトレー支持用のレールＣ７と、このレールＣ７に左右両側端部を奥行き方向にスライド可能に支持されるトレーＣ８とを具備する。そして、ハンドルＣ６の前側には、前記受電ハウジング５が例えば溶接等の方法により固定された脚部Ｃ６１を介して取り付けられている。
【００２０】
ナースピットＰは、図１ないし図３に示すように、左右一対に設けられる支柱Ｐ１と、これら支柱Ｐ１の間に設けられる補助支柱Ｐ２と、前記支柱Ｐ１の上端間、より具体的には一方の支柱Ｐ１と補助支柱Ｐ２との間及び補助支柱Ｐ２と他方の支柱Ｐ１との間に設けられる上下の配線ダクトＰ３、Ｐ４と、この下側の配線ダクトＰ４の下方に設けられるパネル要素Ｐ５と、このパネル要素Ｐ５の下方かつ前記支柱Ｐ１の下端近傍部間、より具体的には一方の支柱Ｐ１と補助支柱Ｐ２との間及び補助支柱Ｐ２と他方の支柱Ｐ１との間に前後に対をなして設けられる横架材Ｐ６と、前後の横架材Ｐ６間に設けられる腰板Ｐ７とを具備する。上側の配線ダクトＰ３は、その内部に図示しない配線挿通空間を有し、この配線挿通空間の上には天板Ｐ８が載置されている。そして、上側の配線ダクトＰ３には、複数の前記給電ハウジング３が、この上側の配線ダクトＰ３の側面Ｐ３１と給電ハウジング３の前端面を略面一になるようにして取り付けられている。なお、図２及び図３では、ナースピットＰを断面で示すとともに、後述するプラグ４に接続される電力線４３の図示を省略している。
【００２１】
この給電装置１のコンセント２は、図２ないし図４、図９、図１１ないし図１３に示すように、内部に図示しない給電端子を有する対をなすプラグ挿入孔２２と、これらプラグ挿入孔２２間に磁極を臨ませたマグネット２３とを備えたもので、前記給電端子２１は図示しない電源に電気的に接続されている。このコンセント２は、前記給電ハウジング３内に保持部７を介して遊動可能に保持されている。
【００２２】
給電ハウジング３は、図１ないし図９及び図１１ないし図１３に示すように、上ハウジング部３１と下ハウジング部３２とを備えてなる合成樹脂製のもので、前記上ハウジング部３１と下ハウジング部３２とを複数のボルト３３を用いて結合することにより構成されている。給電ハウジング３の前面には凹陥部３４を有しており、この凹陥部３４の内周面、より具体的には凹陥部３４の左右側面３５１、３５２、底面３５３及び天井面３５４とは、外方に向かって漸次拡開するように形成されている。そして、これら左右側面３５１、３５２によって受電ハウジング５を案内し得る凹型テーパ面３５が形成されている。また、給電ハウジング３の底面３５３及び天井面３５４は、ほぼ平行としている。そして、これら左右側面３５１、３５２、底面３５３及び天井面３５４に囲まれるようにして、前記保持部７に保持されたコンセント２が配されている。
【００２３】
保持部７は、図９及び図１１ないし図１３に示すように、コンセント２の上下面にボルト７１を用いて取付けられた上下のばね受け部材７２、７３と、これらばね受け部材７２、７３に対向させて前記上ハウジング部３１及び下ハウジング部３２に設けられた上下のばね受け７４、７５と、これらばね受け７４、７５と前記ばね受け部材７２、７３との間にそれぞれ介在させた伸縮可能なコイルスプリング７６、７７とを具備してなる。上下のばね受け部材７２、７３は、それぞれコイルスプリング７６、７７の一端を包持する凹陥部７２１、７３１を有したもので、前記コンセント２の上下面にボルト７１を用いて止着されている。上のばね受け７４は、前記上ハウジング部３１に一体に形成されたものであり、下のばね受け７５は、前記下ハウジング部３２に一体に形成されたものである。
【００２４】
プラグ４は、図２ないし図４及び図１０ないし図１３に示すように、前記コンセント２のプラグ挿入孔２２に係わり合って内部の給電端子２１に電気的に接続される対をなす受電端子４１と、これら受電端子４１間に設けられ接続直前に前記マグネット２３に吸着される磁性体４２とを備えたもので、前記受電端子４１にはナーシングカートＣ上の機器類に電力を供給するための電力線４３が接続されている。このプラグ４は、前記受電ハウジング５内に固定されている。
【００２５】
受電ハウジング５は、図１ないし図８及び図１０ないし図１３に示すように、上ハウジング部５１と下ハウジング部５２とを備えてなる合成樹脂製のもので、前記上ハウジング部５１と下ハウジング部５２とを複数のボルト５３を用いて結合することにより構成されている。受電ハウジング５の前端部５４は、図６及び図８に示すように、平面視半円弧状の形状をなしており、この前端部５４の円弧状をなす外周面を凸型テーパ面５５としている。この受電ハウジング５の前端部５４の上下面５７、５８はほぼ平行としている。また、この受電ハウジング５の前端部５４には前方に開放された窓５６を設けており、この窓５６を介して内部に配設した前記プラグ４を外方に臨ませている。窓５６の下縁及び上縁から内方に延びる天井面５９１及び底面５９２は、内方に向かって漸次接近するように傾斜させており、これら天井面５９１及び底面５９２によってコンセント案内面５９を形成している。また、上ハウジング部５１の上面５７には、前記プラグ４とコンセント２とが電気的に接続された旨を視覚的に表示する接続表示部であるＬＥＤランプ５０を備えている。
【００２６】
案内機構６は、図８及び図１１ないし図１３に示すように、前記給電ハウジング３と受電ハウジング５との相対位置を位置決めするためのハウジング位置決め手段６１と、前記コンセント２とプラグ４との相対位置を位置決めするための接続要素位置決め手段６２とを備えたもので、この実施形態においては、前記ハウジング位置決め手段６１は、前記給電ハウジング３に設けられた凹型テーパ面３５と、この凹型テーパ面３５に係わり合うように受電ハウジング５に設けられた凸型テーパ面５５である。また、この実施形態において、前記接続要素位置決め手段６２は、前記コンセント２を給電ハウジング３に首振動作可能に保持させる保持部７と、この保持部７に保持されたコンセント２の先端部２１を案内すべく前記受電ハウジング５に設けられたコンセント案内面５９である。
【００２７】
次に、この給電装置１の作動を説明する。
【００２８】
例えば、ナーシングカートＣの天板Ｃ５上に載置して使用されるノートパソコン等の電子機器に電力を供給したい場合に、ナーシングカートＣを電力供給側であるナースピットＰ側まで近づける必要がある。
【００２９】
まず、ナーシングカートＣのハンドルＣ６の手前側を押して、ナーシングカートＣをナースピットＰのコンセント２近くまで移動させる。ここで、ナースピットＰの給電機器たるコンセント２及び給電ハウジング３は、図１ないし図３に示すように、ナースピットＰの天板Ｐ８直下、すなわちナーシングカートＣを立って押している使用者から視認可能な位置に設けられている。一方、ナーシングカートＣの受電機器たるプラグ４及び受電ハウジング５は、図１ないし図３に示すように、ナーシングカートＣの天板Ｃ５下方部位、すなわちナーシングカートＣを立って押している使用者から視認可能な位置に設けられている。そのため、使用者が視認しながら給電ハウジング３に対して受電ハウジング５を近づけていくことができる。
【００３０】
ナーシングカートＣをナースピットＰ側まで押し続けて、給電ハウジング３の凹陥部３４の先端側と受電ハウジング５の前端部５４が接触し始めると、図８及び図１１に示すように、案内機構６の働きによって、給電ハウジング３内のコンセント２と受電ハウジング５内のプラグ４とが接続し得るように案内される。詳述すれば、ハウジング位置決め手段６１である前記給電ハウジング３の左右側面３５１、３５２により形成されたラッパ形状をなす凹型テーパ面３５と、この凹型テーパ面３５に係わり合うように受電ハウジング５の前端部５４の円弧状をなす外周面に形成された凸型テーパ面５５とが係わり合うことによって、前記凹型テーパ面３５の先に配されたコンセント２と前記凸型テーパ面５５の先に配されたプラグ４とが相互に接近する方向へと案内される。その際、ナーシングカートＣに設けられたプラグ４をナースピットＰに設けられたコンセント２に対応するよう正確に位置付ける必要はない。詳述すれば、前記凹型テーパ面３５のうち左右側面３５１、３５２と凸型テーパ面５５の円弧状をなす外周面とによって左右方向のずれが微調整されるものである。
【００３１】
ナーシングカートＣをナースピットＰの所定位置まで押し続けた後、すなわち、給電ハウジング３と受電ハウジング５が係わり合う嵌合位置まで達した後は、図１２に示すように、案内機構６の働きによって、接続要素である給電ハウジング３内のコンセント２と受電ハウジング５内のプラグ４とが接続されるように案内される。すなわち、接続要素位置決め手段６２である前記コンセント２を給電ハウジング３に首振動作可能に保持させる保持部７と、この保持部７に保持されたコンセント２の先端部２１を案内すべく前記受電ハウジング５に設けられたコンセント案内面５９とによって、前記保持部７で遊動可能なコンセント２と前記コンセント案内面５９の先に配されたプラグ４とが相互に接近する方向へと案内される。その際、ナーシングカートＣに設けられたプラグ４をナースピットＰに設けられたコンセント２に対応するよう正確に位置付ける必要はない。詳述すれば、コンセント２が前記コンセント案内面５９に沿って先端部２１の方向を上下左右方向に変えることによって、上下方向、左右方向のずれが微調整される。
【００３２】
そして、このコンセント２は、図１３に示すように、先端部２１に設けられたマグネット２３がプラグ４に設けられた磁性体４２と磁力によって引き合い、このマグネット２３に隣接させて設けられたプラグ挿入孔２２内の給電端子２１にプラグ４に隣接させて設けられた受電端子４１が接続される。このようにして、コンセント２は、コンセント案内面５９の先に配されたプラグ４に接続される。
【００３３】
コンセント２とプラグ４とが接続され通電状態となると、図５に示すように、前記受電ハウジング５の上面５７側に設けられＬＥＤランプ５０が点灯する。したがって、使用者は、給電ハウジング３と受電ハウジング５とが係り合っているのをこれらハウジング３、５の外側から視認できるとともに、そのハウジング３、５内に隠れているコンセント２とプラグ４とが接続されているのをＬＥＤランプ５０を通じてハウジング３、５の外側から視認できる。
【００３４】
以上に述べたように、本実施形態に係る給電装置１は、ナースピットＰと、このナースピットＰに対して接離可能に移動できる天板Ｃ５付のナーシングカートＣとの間に設けられるものであって、前記ナースピットＰに設けられるコンセント２と、このコンセント２を収容する給電ハウジング３と、前記コンセント２に接続され得るように位置づけて前記ナーシングカートＣに設けられるプラグ４と、このプラグ４を収容する受電ハウジング５とを具備してなり、前記給電ハウジング３及び受電ハウジング５にコンセント２とプラグ４との接続を助けるための案内機構６を設けてなるので、ナースピットＰのコンセント２とナーシングカートＣのプラグ４とを細かく位置設定する必要がない。すなわち、従来のものは、コンセントとプラグとを相対的に位置決めするための機能が不十分であったため、前記コンセントとプラグとを接続させるために何度も移動家具を進退させ、試行錯誤を繰り返す必要があったが、本実施形態に示す給電装置１であれば、このような面倒な操作を行うことを抑制できる。
【００３５】
また、前記コンセント２及びプラグ４を前記ナーシングカートＣの天板Ｃ５高さ位置付近、本実施形態においては、ナーシングカートＣを移動させる使用者の視線高さ位置付近に配しているので、その接続状態を視覚的に確認することができ、接続状態を確実なものとすることができる。
【００３６】
特に、ナーシングカートＣは衛生面が重要視される場所で使用されるものである。すなわち、従来のようにコンセント及びプラグが床面近くに設けられているものでは、プラグの抜き差しの度に使用者が腰をかがめなければならないという問題があるとともに、埃や塵の舞う不衛生な場所でプラグやコンセントに接触してしまうという問題があった。しかしながら、本実施形態に示すようなものであれば、このような問題を一気に解決することができる。
【００３７】
さらに、前記案内機構６が、前記給電ハウジング３と受電ハウジング５との相対位置を位置決めするためのハウジング位置決め手段６１と、前記コンセント２とプラグ４との相対位置を位置決めするための接続要素位置決め手段６２とを備えているので、コンセント２とプラグ４とをハウジング位置決め手段６１によっておおまかに案内及び位置決めするとともに、接続要素位置決め手段６２によってより細かく案内及び位置決めすることができる。
【００３８】
前記ハウジング位置決め手段６１が、前記給電ハウジング３に設けられた凹型テーパ面３５と、この凹型テーパ面３５に係わり合うように受電ハウジング５に設けられた凸型テーパ面５５とを備えているものであるので、これらのテーパ面３５、５５によって給電ハウジング３内に配されたコンセント２を受電ハウジング５内に配されたプラグ４に近寄る方向へと案内することができる。特に、本実施形態では凹型テーパ面３５が左右方向２面に形成されているため、この凹型テーパ面３５に係わり合わせるべき凸型テーパ面５５が左右いずれの方向に位置ずれしていても、適切な方向へと案内させることができる。また、本実施形態では、給電ハウジング３の先端側、すなわち凹型テーパ面３５の先端側を上側の配線ダクトＰ３の側面Ｐ３１と面一にしており、さらに、コンセント２をその面よりも内側に控えさせているため外方への突出がなく、使用者がひっかかるおそれ等を抑制できる。
【００３９】
前記接続要素位置決め手段６２が、前記コンセント２を給電ハウジング３に首振動作可能に保持させる保持部７と、この保持部７に保持されたコンセント２の先端部２１を案内すべく前記受電ハウジング５に設けられたコンセント案内面５９とを備えているものであるので、これら保持部７と内方に向かって漸次接近するように傾斜させたコンセント案内面５９とによって給電ハウジング３内に配されたコンセント２を受電ハウジング５内に配されたプラグ４に近寄る方向へと案内することができる。特に、コンセント２が首振り可能に保持されているため、プラグ４に接続されていない状態では図１１に示すように、コンセント２自身の重さでコンセント２が給電ハウジング３に対して相対的に下方に位置する状態が生じ得る。ところが、前記コンセント案内面５９が受電ハウジング５の底面５９２側に設けられこの下方に位置する先端部２１を持ち上げるように傾斜しているため、図１２及び図１３に示すように、確実にコンセント２をプラグ４へと案内することができる。
【００４０】
特に、保持部７が、コンセント２の上方では、上のばね受け部材７２と上のばね受け７４との間に配されたコイルスプリング７６が多少の左右及び前後方向への動きを許容しながら上下方向に伸縮可能に動くとともに、コンセント２の下方では、下のばね受け部材７３と下のばね受け７５との間に配されたコイルスプリング７７が多少の左右及び前後方向への動きを許容しながら上下方向に伸縮可能に動く。そのため、上下のコイルスプリング７７が互いに伸縮量を変えることによって、微妙な調節を行いつつコンセント２の先端部２１を上下方向にスライド移動させたり、先端部２１の向きを上下方向に変えたりすることができる。このように、比較的簡単な構成でコンセント２を首振り可能に保持することができる。
【００４１】
また、受電ハウジング５には、前記プラグ４とコンセント２とが電気的に接続された旨を視覚的に表示する接続表示部たるＬＥＤランプ５０を備えているため、コンセント２からの電力を利用して、使用者に視覚的に接続状態を示すことができる。
【００４２】
なお、本発明は以上に述べた実施形態に限られない。
【００４３】
例えば、給電ハウジングは、図１４ないし図１６に示すようなものにしてもよい。なお、以下の変形例において上記実施形態に対応する構成要素には同様の符号を付して示すものとし、具体的な説明を省略する。
【００４４】
この給電ハウジング３は、図１４ないし図１６に示すように、上ハウジング部３１と下ハウジング部３２とを備えてなる合成樹脂製のもので、給電ハウジング３の前面に設けられた凹陥部３４の内周面に囲まれるようにして、前記保持部７に保持されたコンセント２が配されている。
【００４５】
保持部７は、図１４ないし図１６に示すように、前記コンセント２の先端部２１の向きを上下方向に調節する第１の弾性部材であるコイルスプリング７７と、前記コンセント２の先端部２１の向きを左右方向に調節する第２の弾性部材であるコイルスプリング７９とを主体に構成されたものである。詳述すれば、この保持部７は、下ハウジング部３２に設けられた下のばね受け７５と、このばね受け７５とコンセント２との間に介在させた前記コイルスプリング７７と、前記下ハウジング部３２の起立面３２１に左右に対をなして設けられた横のばね受け７８と、このばね受け７８と前記コンセント２に設けられた係止鍔部７０との間にそれぞれ介在させた伸縮可能な前記コイルスプリング７９とを具備してなる。下のばね受け７５及び横のばね受け７８は、前記下ハウジング部３２に一体に形成されたものである。前記係止鍔部７０は、本実施形態においては、コンセント２の左右両側に突出する板状のもので、前記コンセント２の上下面にボルト７１を用いて止着されている。この係止鍔部７０は、前記第２の弾性部材であるコイルスプリング７９の付勢力によって前方に付勢されており、このコイルスプリング７９の付勢力によって、コンセント２がプラグ４に接続されていない状態では図１６に二点鎖線で示すように、前記横のばね受け７８が形成される起立面３２１に対向する係止面３２２に係止するようになっている。
【００４６】
このようなものであるので、上述した実施形態と同一またはそれに準じた効果が得られる。さらに、コンセント２が前記保持部７によって先端部２１の位置及び／又は方向を上下方向、左右方向、及び前後方向に変えることによって、上下方向、左右方向、前後方向のずれが微調整される。
【００４７】
特に、本変形例にかかる保持部７は、コンセント２の後方で、下のばね受け７５とコンセント２の下面との間に配されたコイルスプリング７７が多少の左右及び前後方向への動きを許容しながら上下方向に伸縮可能に動くので、微妙な調節を行いつつコンセント２の先端部２１を上下方向にスライド移動させたり、先端部２１の向きを上下方向に変えたりすることができる。さらに、コンセント２の前後方向中央では、左右に対をなして設けられた横のばね受け７８とこれらばね受け７８に対向して配された係止面３２２との間に配されたコイルスプリング７９が多少の上下方向及び左右方向への動きを許容しながら前後方向に伸縮可能に動くので、微妙な調整を行いつつコンセント２を前後方向にスライド移動させることができる。また、これら左右のコイルスプリング７９が互いに伸縮量を変えることにより、微妙な調整を行いつつコンセント２の先端部２１の向きを左右方向に変えることができる。このように、比較的簡単な構成で、コンセント２を首振り可能に保持することができる。
【００４８】
移動家具は、ナースカートに限られず、ワゴンその他の天板を有する家具であれば、どのようなものであってもよい。また、天板は使用者の視線より高いものであってもよく、その際には、接続表示部を視覚的に認識し得るハウジングの側面や下面側に設けることが望ましい。
【００４９】
また、給電ステーションは、ナースピットに限られず、天板を有するナーステーブルや、机やカウンター、壁等であってもよい。また、給電ステーションとして、移動可能な家具を用いてもよい。
【００５０】
コンセントとプラグは、マグネットと磁性体とを吸着するようにしたいわゆるマグネット式のものに限られず、マグネットを用いない通常のものであってもよい。
【００５１】
コンセントと給電ハウジングとの関係は、必ずしもコンセントが給電ハウジング内に設けられるものに限られず、案内機構が有効に作用する位置関係であればどのようなものであってもよい。また、プラグと受電ハウジングとの関係も同様に、必ずしもプラグが受電ハウジング内に設けられるものに限られず、案内機構が有効に作用する位置関係であればどのようなものであってもよい。
【００５２】
また、本実施形態においては、コンセントを首振り可能に保持していたが、給電ハウジングまたは受電ハウジングを首振り動作可能にするものであってもよい。
【００５３】
さらに、給電ハウジング及び受電ハウジングの形状は、上述した実施形態に示すものに限られないのはもちろんである。本実施形態では給電ハウジングに凹型テーパ面を備えるとともに、受電ハウジングに凸型テーパ面を備えるようにしていたが、例えば、給電ハウジングに凸型テーパ面を備えるとともに、受電ハウジングに凹型テーパ面を備えるように、給電ハウジング及び受電ハウジングを形成するようにしてもよい。
【００５４】
接続表示部は、ＬＥＤランプに限らず、他の方法によって表示するものであってもよい。また、表示する場所は、ハウジングの上面に限られず、ハウジングの側面または下面や、ナーシングカートやナースピットの適切な場所であってもよい。
【００５５】
その他、本発明の趣旨を損ねない範囲で種々に変更してよい。
【符号の説明】
【００５６】
Ｐ…ナースピット（給電ステーション）
Ｃ…ナーシングカート（移動家具）
Ｃ５…天板
１…給電装置
２…コンセント
２１…先端部
３…給電ハウジング
３５…凹型テーパ面
４…プラグ
５…受電ハウジング
５０…ＬＥＤランプ（接続表示部）
５５…凸型テーパ面
５９…コンセント案内面
６…案内機構
６１…ハウジング位置決め手段
６２…接続要素位置決め手段
７…保持部
【図１】
2012081153.tif 000003
【図２】
2012081153.tif 000004
【図３】
2012081153.tif 000005
【図４】
2012081153.tif 000006
【図５】
2012081153.tif 000007
【図６】
2012081153.tif 000008
【図７】
2012081153.tif 000009
【図８】
2012081153.tif 000010
【図９】
2012081153.tif 000011
【図１０】
2012081153.tif 000012
【図１１】
2012081153.tif 000013
【図１２】
2012081153.tif 000014
【図１３】
2012081153.tif 000015
【図１４】
2012081153.tif 000016
【図１５】
2012081153.tif 000017
【図１６】
2012081153.tif 000018